【事件の表示】
　特願２０１３−５２８７７０「ユーザインターフェースに関する方法、コンピュータプログラム、持続性コンピュータ可読媒体、装置、およびシステム」拒絶査定不服審判事件〔平成２４年　３月２９日国際公開、ＷＯ２０１２／０３８７４２、平成２５年１１月２１日国内公表、特表２０１３−５４２４８８、請求項の数（５４）〕について、次のとおり審決する。
【結　論】
　原査定を取り消す。
　本願の発明は、特許すべきものとする。
【理　由】
第１　手続の経緯
　本願は，平成２３年９月２０日（パリ条約による優先権主張２０１０年９月２０日，英国）の出願であって，平成２７年６月１９日付けで拒絶理由が通知され，平成２７年１２月２２日に意見書と手続補正書が提出され，平成２８年４月１１日付けで拒絶査定がなされ，これに対し，平成２８年８月１７日に拒絶査定に対する審判請求がなされるとともに手続補正書が提出されたものである。
　また，平成２８年９月９日付けで前置報告書が作成されている。
　
第２　原査定の概要
　原査定（平成２８年４月１１日付け拒絶査定）の概要は次のとおりである。
　
（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者（以下，「当業者という。」）が容易に発明をすることができたものであるから，特許法第２９条第２項の規定により特許を受けることができない。
　
　　　　　　　　記　　　（引用文献等については引用文献等一覧参照）
・請求項　１−５４
・引用文献等　１，２
　
　　　　　　　　　　　　　　＜引用文献等一覧＞
１.特開２００９−１５９１９７号公報
２.特開平８−３０５６１７号公報（周知技術を示す文献）
　
第３　本願発明
　本願請求項１−５４に係る発明（以下，それぞれ「本願発明１」−「本願発明５４」という。）は，平成２８年８月１７日に提出された手続補正書による手続補正で補正された特許請求の範囲の請求項１−５４に記載された事項により特定される発明であり，以下のとおりの発明である。
　
「　　【請求項１】
　複数の第１のオブジェクトを表示させる段階と，
　各第２のオブジェクトが，前記複数の第１のオブジェクトのうちの１より多くの第１のオブジェクトの前記表示に視覚的に関連している，１以上の第２のオブジェクトを表示させる段階と，
　入力に応じて，前記複数の第１のオブジェクトのうち少なくとも１つを低減した突出度で表示させ，前記第１のオブジェクトに関連している少なくとも１つの第２のオブジェクトを，もし前記第２のオブジェクトの突出の相対的低下があれば，前記第２のオブジェクトの突出の相対的低下が，前記第１のオブジェクトの突出の相対的低下より低くなるように，表示させる段階と
　を備え，
　前記複数の第１のオブジェクトはループ状に連続して配置され，前記ループは完全に，または部分的に表示され，
　各第２のオブジェクトは，前記複数の第１のオブジェクトをソートする複数の特性または値を視覚的に示し，
　マウスオーバされる第２のオブジェクトに関連するすべての第１のオブジェクトが，強調表示または状態変更を示す
　ユーザインターフェースに関する方法。
　　【請求項２】
　オブジェクトを低減した突出度で表示させる段階は，
　前記オブジェクトを小さく見えるようにする，消えるようにする，および，前記オブジェクトを完全にまたは部分的に隠す，のうち少なくとも１つを実行する段階を有する，請求項１に記載の方法。
　　【請求項３】
　複数の第１のオブジェクトを表示させる段階と，
　各第２のオブジェクトが，前記複数の第１のオブジェクトのうちの１より多くの第１のオブジェクトの前記表示に視覚的に関連している，１以上の第２のオブジェクトを表示させる段階と，
　入力に応じて，オブジェクトの前記表示を変更させる段階であって，前記第２のオブジェクトに関連している前記１以上の第１のオブジェクトが表示され続けるかに関わらず，前記第２のオブジェクトのうち少なくとも１つを部分的にまたは完全に表示させ続ける段階と
　を備え，
　前記複数の第１のオブジェクトはループ状に連続して配置され，前記ループは完全に，または部分的に表示され，
　各第２のオブジェクトは，前記複数の第１のオブジェクトをソートする複数の特性または値を視覚的に示し，
　マウスオーバされる第２のオブジェクトに関連するすべての第１のオブジェクトが，強調表示または状態変更を示す
　ユーザインターフェースに関する方法。
　　【請求項４】
　前記複数の第１のオブジェクトは，視野範囲に表示され，
　前記第２のオブジェクトは，関連する１以上の前記第１のオブジェクトの位置が前記視野範囲に存在しつづけている限り，表示され続ける，請求項３に記載の方法。
　　【請求項５】
　前記入力に応じて，前記複数の第１のオブジェクトのうち少なくとも１つを，位置を変えて表示して，前記複数の第１のオブジェクトのうち少なくとも１つに関連している少なくとも１つの第２のオブジェクトを，前記第１および第２のオブジェクトの関連を維持するような位置に表示させる段階を備える，請求項１から４のいずれか一項に記載の方法。
　　【請求項６】
　前記関連は，前記第１および第２のオブジェクト，および，前記第１および第２のオブジェクト全体または一部をリンクさせる表示エレメントのうち，少なくとも１つの相対位置の結果である，請求項１から５のいずれか一項に記載の方法。
　　【請求項７】
　前記１以上の第２のオブジェクトの１つに関する入力に応じて，前記１以上の第２のオブジェクトの１つの，前記１以上の関連する第１のオブジェクトに対する関連を強調する情報を表示させる，請求項１から６のいずれか一項に記載の方法。
　　【請求項８】
　前記複数の第１のオブジェクトを，前記複数の第１のオブジェクトの１以上の特性に応じて配置させる段階を備える，請求項１から７のいずれか一項に記載の方法。
　　【請求項９】
　前記入力に応じて，前記複数の第１のオブジェクトのうち少なくとも１つの位置を，前記配置に応じて変更する段階を備える，請求項８に記載の方法。
　　【請求項１０】
　前記複数の第１のオブジェクトの三次元配置のビューの全体または一部を表示させる段階を備え，
　前記ビューは二次元または三次元である，請求項１から９のいずれか一項に記載の方法。
　　【請求項１１】
　更なる入力に応じて，前記複数の第１のオブジェクトがディスプレイで占めるスペースが低減するように前記ビューの角度を調節する段階を備える，請求項１０に記載の方法。
　　【請求項１２】
　前記更なる入力に応じて，前記１以上の第２のオブジェクトを表示させない段階を備える，請求項１１に記載の方法。
　　【請求項１３】
　前記第２のオブジェクトは，前記複数の特性を表す１以上の文字，シンボル，またはグラフィックエレメントを視覚的に示す，請求項１から１２のいずれか一項に記載の方法。
　　【請求項１４】
　各第２のオブジェクトは，１以上の特性を有する１以上の第１のオブジェクトと，１以上の別の特性を有する別の１以上の第１のオブジェクトとの間の境界を示す情報を提供する，請求項１から１３のいずれか一項に記載の方法。
　　【請求項１５】
　前記複数の第１のオブジェクトのうち１つの状態の変化に応じて，前記複数の第１のオブジェクトのうち１つ，および，少なくとも１つの関連する第２のオブジェクトのうち少なくとも１つとの関係で，前記複数の第１のオブジェクトのうち１つの状態の変化の情報を表示させる段階を備える，請求項１から１４のいずれか一項に記載の方法。
　　【請求項１６】
　前記１以上の第２のオブジェクトのうち１つの状態の変化に応じて，前記１以上の第２のオブジェクトのうち１つ，および，前記１以上の関連する第1のオブジェクトのうち少なくとも１つとの関係で，前記１以上の第２のオブジェクトのうち１つの状態の変化の情報を表示させる段階を備える，請求項１から１５のいずれか一項に記載の方法。
　　【請求項１７】
　前記複数の第１のオブジェクトまたは前記第２のオブジェクトのいずれか１つに関する入力に応じて，前記複数の第１のオブジェクトのうち少なくとも１つまたは前記第２のオブジェクトの状態を，選択されていない状態から選択されている状態に変化させる段階を備える，請求項１から１６のいずれか一項に記載の方法。
　　【請求項１８】
　前記複数の第１のオブジェクトまたは前記第２のオブジェクトのいずれか１つに関する入力に応じて，前記複数の第１のオブジェクトのうち少なくとも１つまたは前記第２のオブジェクトおよび前記１以上の関連する第１のオブジェクトを，増加した突出度で表示させる段階を備える，請求項１から１７のいずれか一項に記載の方法。
　　【請求項１９】
　オブジェクトを増加した突出度で表示する段階は，
　前記オブジェクトを現させる，または，大きく見えるようにする，前記オブジェクトが完全にまたは部分的に明瞭化する，前記オブジェクトをより中心に表示させる，および，前記オブジェクトをより前景に表示させる，のうち少なくとも１つを実行する段階を有する，請求項１８に記載の方法。
　　【請求項２０】
　前記複数の第１のオブジェクトの１つに関する入力に応じて，更なる複数の第１のオブジェクトと，更なる１以上の第２のオブジェクトとを表示させる段階を備える，請求項１から１９のいずれか一項に記載の方法。
　　【請求項２１】
　前記複数の第１のオブジェクトの１つに関する入力に応じて，別の複数の第１のオブジェクトと，別の１以上の第２のオブジェクトとを表示させる段階を備える，請求項２０に記載の方法。
　　【請求項２２】
　前記複数の第１のオブジェクトの１つが更なる複数の第１のオブジェクトと関連づけられているという情報を表示させる段階を有する，請求項２０または２１に記載の方法。
　　【請求項２３】
　前記複数の第１のオブジェクトおよび前記更なる複数の第１のオブジェクトそれぞれを，それぞれのループで同時に表示する段階を備え，
　前記ループはそれぞれ同心円または同軸状であるか，または平行軸を持ち，
　前記平行軸の場合には，前記更なる複数の第１のオブジェクトに対応する前記ループの軸を，前記入力がされた前記複数の第１のオブジェクトのうち少なくとも１つに位置合わせする，請求項２０から２２のいずれか一項に記載の方法。
　　【請求項２４】
　エレメントを表示させる段階を備え，
　前記エレメントは，順序立てられたアイテムの配置を有し，各アイテムが，前記１以上の第２のオブジェクトの１つ，前記複数の第１のオブジェクトの１つ，または，それらの特性のいずれかに対応しており，さらに，前記複数の第１のオブジェクトのうち少なくとも１つまたは前記第２のオブジェクトのうちどれが最も大きい突出度で表示されているかの情報を有する，請求項１から２３のいずれか一項に記載の方法。
　　【請求項２５】
　前記エレメントに関する入力に応じて，前記１以上の第２のオブジェクトのうち少なくとも１つ，および，前記１以上の関連する第１のオブジェクトを，位置を変えて表示する段階を備える，請求項２４に記載の方法。
　　【請求項２６】
　前記エレメントは，前記１以上の第２のオブジェクトに代えて表示される，請求項２４または２５に記載の方法。
　　【請求項２７】
　ワードまたはシンボルの１以上のリストまたはアセンブリを表示させる段階を備え，
　ワードまたはシンボルの各リストまたはアセンブリは，複数のアイテムを有し，
　各アイテムが，前記複数の第１のオブジェクトのうち１つまたはその特性に対応する，請求項１から２６のいずれか一項に記載の方法。
　　【請求項２８】
　前記複数の第１のオブジェクトのうち１つに関して表示される情報に応じて，前記対応するアイテムとの関係で情報を表示する段階を備える，請求項２７に記載の方法。
　　【請求項２９】
　前記ワードまたはシンボルの前記１以上のリストまたはアセンブリのうち少なくとも１つは，前記複数の第１のオブジェクトのいずれが最も大きい突出度で表示されているかを示す情報を含む，請求項２７または２８に記載の方法。
　　【請求項３０】
　前記複数のアイテムのうち１つに関する入力に応じて，前記対応する第１のオブジェクトに関連する入力に応じてとられるアクションと同じアクションをとる段階を備える，請求項２７から２９のいずれか一項に記載の方法。
　　【請求項３１】
　前記複数の第１のオブジェクトまたは前記対応するアイテムのうち１つに関する入力に応じて，
　前記複数の第１のオブジェクトおよび前記１以上の第２のオブジェクトの代わりに，更なる複数の第１のオブジェクトおよび更なる１以上の第２のオブジェクトを表示させる段階と，
　前記複数の第１のオブジェクトに対応する前記ワードまたはシンボルのリストまたはアセンブリに加えて，前記更なる複数の第１のオブジェクトに対応するワードまたはシンボルの更なるリストまたはアセンブリを表示させる段階と
　を備える，請求項３０に記載の方法。
　　【請求項３２】
　前記複数の第１のオブジェクトのうち１つまたは前記対応するアイテムに関する前記入力に応じて，前記入力が関連する前記複数の第１のオブジェクトのうちどれを表示するかを示す情報を表示させる段階を備える，請求項３１に記載の方法。
　　【請求項３３】
　クエリに合致する前記複数の第１のオブジェクトの１以上の特性に応じて表示させる前記複数の第１のオブジェクトを決定する段階を備える，請求項１から３２のいずれか一項に記載の方法。
　　【請求項３４】
　前記複数の第１のオブジェクトのうち１つに関する入力に応じて，前記複数の第１のオブジェクトのうち１つの１以上の特性に基づいて前記クエリを決定して，更なる複数の第１のオブジェクトおよび更なる１以上の第２のオブジェクトを表示させる段階を備え，
　前記更なる複数の第１のオブジェクトは，前記クエリに合致する１以上の特性を有する，請求項３３に記載の方法。
　　【請求項３５】
　前記複数の第１のオブジェクトはそれぞれ，複数のデータエレメントからなるセットに対応している，請求項１から３４のいずれか一項に記載の方法。
　　【請求項３６】
　前記複数の第１のオブジェクトおよび更なる複数の第１のオブジェクトは，前記複数のデータエレメントの階層構造の異なるレベルに対応している，請求項３５に記載の方法。
　　【請求項３７】
　予め定められた規則に応じて表示させる前記１以上の第２のオブジェクトを決定する段階を備える，請求項１から３６のいずれか一項に記載の方法。
　　【請求項３８】
　前記複数の第１のオブジェクトのうち１つに関する入力に応じて，前記複数の第１のオブジェクトの１つに関連するデータを取得して，前記データに関する動作を実行する段階を備える，請求項１から３７のいずれか一項に記載の方法。
　　【請求項３９】
　各第２のオブジェクトは，隣接する複数の第１のオブジェクトに視覚的に関連付けられる，請求項１から３８のいずれか一項に記載の方法。
　　【請求項４０】
　複数の第１のオブジェクトの１以上の特性に応じて配置されている前記複数の第１のオブジェクトを表示させる段階と，
　各第２のオブジェクトが前記複数の第１のオブジェクトのうちの１より多くの第１のオブジェクトに視覚的に関連する，１以上の第２のオブジェクトを表示させる段階と，
　入力に応じて，前記複数の第１のオブジェクトのうち少なくとも１つを，位置を変えて表示させ，前記第１のオブジェクトに関連する少なくとも１つの第２のオブジェクトを，前記第１および第２のオブジェクトの関連を維持するような位置に表示させる段階と
　を備え，
　前記複数の第１のオブジェクトはループ状に連続して配置され，前記ループは完全に，または部分的に表示され，
　各第２のオブジェクトは，前記複数の第１のオブジェクトをソートする複数の特性または値を視覚的に示し，
　マウスオーバされる第２のオブジェクトに関連するすべての第１のオブジェクトが，強調表示または状態変更を示す
　ユーザインターフェースに関する方法。
　　【請求項４１】
　プロセッサにより実行されると，前記プロセッサに，請求項１から４０のいずれか一項に記載の方法を実行させる命令を備えるコンピュータプログラム。
　　【請求項４２】
　請求項４１に記載のコンピュータプログラムを備える，持続性コンピュータ可読媒体。
　　【請求項４３】
　請求項１から４０のいずれか一項に記載の方法を実行する装置。
　　【請求項４４】
　ユーザインターフェースに関する装置であって，
　少なくとも１つのプロセッサと，
　コンピュータプログラムを有するメモリと
　を備え，
　前記少なくとも１つのプロセッサと前記メモリと前記コンピュータプログラムとは，前記装置に，
　複数の第１のオブジェクトを表示させる段階と，
　各第２のオブジェクトが，前記複数の第１のオブジェクトのうちの１より多くの第１のオブジェクトの前記表示に視覚的に関連している，１以上の第２のオブジェクトを表示させる段階と，
　入力に応じて，前記複数の第１のオブジェクトのうち少なくとも１つを低減した突出度で表示させ，前記第１のオブジェクトに関連している少なくとも１つの第２のオブジェクトを，もし前記第２のオブジェクトの突出の相対的低下があれば，前記第２のオブジェクトの突出の相対的低下が，前記第１のオブジェクトの突出の相対的低下より低くなるように，表示させる段階と
　を実行させ，
　前記複数の第１のオブジェクトはループ状に連続して配置され，前記ループは完全に，または部分的に表示され，
　各第２のオブジェクトは，前記複数の第１のオブジェクトをソートする複数の特性または値を視覚的に示し，
　マウスオーバされる第２のオブジェクトに関連するすべての第１のオブジェクトが，強調表示または状態変更を示す
　ユーザインターフェースに関する装置。
　　【請求項４５】
　前記少なくとも１つのプロセッサと前記メモリと前記コンピュータプログラムとは，前記装置に，前記複数の第１のオブジェクトを，ループ状に配置する段階を実行させ，
　前記ループは完全に，または部分的に表示される，請求項４４に記載の装置。
　　【請求項４６】
　前記少なくとも１つのプロセッサと前記メモリと前記コンピュータプログラムとは，前記装置に，前記複数の第１のオブジェクトの三次元配置のビューの全体または一部を表示させる段階を実行させ，
　前記ビューは二次元または三次元である，請求項４４または４５に記載の装置。
　　【請求項４７】
　前記少なくとも１つのプロセッサと前記メモリと前記コンピュータプログラムとは，前記装置に，前記複数の第１のオブジェクトのうち少なくとも１つまたは前記第２のオブジェクトのうち１つに関する入力に応じて，前記複数の第１のオブジェクトのうち少なくとも１つまたは前記第２のオブジェクトおよび前記１以上の関連する第１のオブジェクトをそれぞれ，増加した突出度で表示させる段階を実行させる，請求項４４から４６のいずれか一項に記載の装置。
　　【請求項４８】
　前記少なくとも１つのプロセッサと前記メモリと前記コンピュータプログラムとは，前記装置に，前記複数の第１のオブジェクトの１つに関する入力に応じて，更なる複数の第１のオブジェクトと，更なる１以上の第２のオブジェクトとを表示させる段階を実行させる，請求項４４から４７のいずれか一項に記載の装置。
　　【請求項４９】
　前記少なくとも１つのプロセッサと前記メモリと前記コンピュータプログラムとは，前記装置に，
　ワードまたはシンボルの１以上のリストまたはアセンブリを表示する段階を実行させ，
　ワードまたはシンボルの各リストまたはアセンブリは，複数のアイテムを有し，
　各アイテムが，前記複数の第１のオブジェクトのうち１つまたはその特性に対応する，請求項４４から４８のいずれか一項に記載の装置。
　　【請求項５０】
　前記少なくとも１つのプロセッサと前記メモリと前記コンピュータプログラムとは，前記装置に，
　前記複数の第１のオブジェクトまたは対応するアイテムのうち１つに関する入力に応じて，
　前記複数の第１のオブジェクトおよび前記１以上の第２のオブジェクトの代わりに，更なる複数の第１のオブジェクトおよび更なる１以上の第２のオブジェクトを表示させる段階と，
　前記複数の第１のオブジェクトに対応するワードまたはシンボルのリストまたはアセンブリに加えて，前記更なる複数の第１のオブジェクトに対応するワードまたはシンボルの更なるリストまたはアセンブリを表示させる段階とを実行させる，請求項４４から４９のいずれか一項に記載の装置。
　　【請求項５１】
　前記少なくとも１つのプロセッサと前記メモリと前記コンピュータプログラムとは，前記装置に，クエリに合致する前記複数の第１のオブジェクトの１以上の特性に応じて表示させる，前記複数の第１のオブジェクトを決定する段階を実行させる，請求項４４から５０のいずれか一項に記載の装置。
　　【請求項５２】
　前記複数の第１のオブジェクトはそれぞれ，複数のデータエレメントからなるセットに対応しており，前記複数の第１のオブジェクトおよび更なる複数の第１のオブジェクトは，前記複数のデータエレメントの階層構造の異なるレベルに対応している，請求項４４から５１のいずれか一項に記載の装置。
　　【請求項５３】
　請求項４３から５２のいずれか一項に記載されている装置を有するサーバと，
　ネットワーク経由で前記サーバと通信するクライアントデバイスと
　を備えるシステム。
　　【請求項５４】
　前記クライアントおよびサーバの少なくとも１つと通信して，前記第１および第２のオブジェクトの少なくとも１つに関連するデータを提供する格納デバイスをさらに備える，請求項５３に記載のシステム。」
　
第４　引用発明，引用文献等
１．引用発明
　原査定の拒絶の理由に引用された引用文献１には，図面とともに次の事項が記載されている（下線は重要箇所に対して当審が付した。）。
　
ア　「【００５４】
　図３は，目印が付加された環状表示が表示されたディスプレイ４３の表示画面の一例を示している。
【００５５】
　図３の表示画面には，所定の並び順で，環状に配列された複数のチャンネル表示を側面とし，複数のチャンネル表示が描く閉曲線１３１が囲む楕円状の領域を底面とする円柱状（円盤状）の形状を有した環状表示１０１が，閉曲線１３１が囲む楕円状の領域を斜めに見下ろす方向を視点として鳥瞰された形で，表示されている。
【００５６】
　即ち，
図３の表示画面には，目印１３２が付加された閉曲線１３１と，その閉曲線１３１の一部分を描くように，図中左右方向に帯状に並んで配列されたいくつかの矩形それぞれが表すチャンネル表示とが，環状表示１０１として表示されている。
【００５７】
　図中中央に示す枠１３３に囲まれたチャンネル表示は，フォーカスされているチャンネル表示を示しており，異なる他のチャンネル表示と比較して強調して表示されている。
【００５８】
　即ち，チャンネル番号「069」と，そのチャンネル番号「069」のチャンネルの放送局のロゴ「LOGO」とが表示されたチャンネル表示（以下，チャンネル表示「069」という）が，フォーカスされているチャンネル表示として，他のチャンネル表示（例えば，チャンネル表示「068」）と比較して，最も大きく表示されるとともに，チャンネル表示「069」を囲む枠１３３が，例えば他のチャンネル表示を囲む枠とは異なる色や大きさで強調されて表示されている。
【００５９】
　
また，閉曲線１３１に沿った距離が，フォーカスされているチャンネル表示「069」から離れている位置に配列されるチャンネル表示ほど，小さく表示される。
【００６０】
　即ち，図３では，フォーカスされているチャンネル表示「069」を基準として，図中，左方向に，フォーカスされているチャンネル表示「069」，チャンネル表示「068」，チャンネル表示「067」，及びチャンネル表示「052」の順番で並んで配列されている。従って，フォーカスされているチャンネル表示「069」，チャンネル表示「068」，チャンネル表示「067」，及びチャンネル表示「052」の順番で，チャンネル表示の大きさが，小さくなっている。
【００６１】
　なお，図３においては，図面が煩雑になることを避けるために，チャンネル表示「068」，チャンネル表示「067」，及びチャンネル表示「052」では，チャンネル番号のみを図示し，放送局のロゴの図示を省略するとともに，矩形が表すその他のチャンネル表示については，チャンネル番号及び放送局のロゴのいずれの図示も省略している。また，フォーカスされているチャンネル表示とは異なる他のチャンネル表示を囲む枠についても，図面が煩雑になることを避けるために，図示は省略している。
【００６２】
　
さらに，十字キー３A（図１）を用いたユーザの回転操作により，複数のチャンネル表示が，閉曲線１３１に沿った方向に移動するように，環状表示１０１が回転する。
【００６３】
　即ち，例えば，ユーザが，十字キー３Aを左方向に操作すると，図３の環状表示１０１を形成する複数のチャンネル表示は，それぞれ，１個のチャンネル表示分だけ，十字キー３Aを操作した左方向とは反対の右方向に移動し，フォーカスされるチャンネル表示が，チャンネル表示「069」からチャンネル表示「068」に変化する。
【００６４】
　なお，目印１３２は，いまの場合，上述したように，最初のチャンネル表示と最後のチャンネル表示との間の位置を表しているので，環状表示１０１上の，最初のチャンネル表示と最後のチャンネル表示との間に付加されている。従って，複数のチャンネル表示が移動することにより，最初のチャンネル表示と最後のチャンネル表示との間の位置を表す目印１３２も，当然に移動する。」
　
イ　「【００７８】
　次に，
図６のフローチャートを参照して，環状表示１０１を表示させるときの動作（以下，表示処理という）について説明する。
【００７９】
　
この表示処理は，例えば，ユーザが，環状表示１０１を表示させようとして，リモートコントローラ３の環状表示ボタン３Cを操作したことに対して，開始される。
【００８０】
　
ステップＳ３１において，環状表示生成部７１は，メモリ３２に記憶されたEPGデータが含むチャンネル番号及び放送局のロゴに基づいて，チャンネル番号及び放送局のロゴが表示された複数のチャンネル表示を，例えば，ARIB推奨順等の所定の並び順で，環状に配列することにより形成される環状表示１０１を生成し，目印付加部７２に供給して，処理は，ステップＳ３２に進む。
【００８１】
　
なお，予め，環状表示１０１を生成し，記憶部３１又はメモリ３２に記憶しておくようにしておき，適宜，目印付加部７２に供給するようにしてもよい。
【００８２】
　
ステップＳ３２において，目印付加部７２は，環状表示における所定の位置を示す目印１３２（図３）を，環状表示生成部７１からの環状表示に付加し，目印が付加された環状表示を，お気に入りマーク付加部７３に供給する。
【００８３】
　
なお，前回の表示処理において，ユーザの指定操作により，お気に入りマークがチャンネル表示に付加されていた場合，図６を参照して説明する今回の表示処理では，前回の表示処理で行われたユーザの指定操作によるお気に入りマークの付加を行うことが可能である。しかしながら，今回の表示処理では，説明を簡単にするために，前回の表示処理で行われたユーザの指定操作によるお気に入りマークの付加は行わないこととする。
【００８４】
　
従って，お気に入りマーク付加部７３は，目印付加部７２からの環状表示１０１を，そのまま，OSD付加回路４１に供給する。
【００８５】
　
ステップＳ３３において，表示制御部７５は，OSD付加回路４１や画像処理回路４２等を制御し，お気に入りマーク付加部７３からOSD付加回路４１に供給された環状表示１０１を，ディスプレイ４３に表示させる。このとき，例えば，ディスプレイ４３には，図３に示す表示画面が表示される。
【００８６】
　
ステップＳ３３の終了後，処理は，ステップＳ３４に進み，表示制御部７５は，十字キー３A（図１）を用いたユーザの回転操作が行われたか否かを判定する。
【００８７】
　
ステップＳ３４において，ユーザの回転操作が行われたと判定された場合，処理は，ステップＳ３５に進み，表示制御部７５は，OSD付加回路４１や画像処理回路４２等を制御し，ユーザの回転操作により回転された環状表示１０１を，ディスプレイ４３に表示させる。
【００８８】
　
一方，ステップＳ３４において，ユーザの回転操作が行われていないと判定された場合，処理は，ステップＳ３５をスキップして，ステップＳ３６に進み，表示制御部７５は，お気に入りボタン３Bを用いたユーザの指定操作が行われたか否かを判定する。
【００８９】
　
ステップＳ３６において，ユーザの指定操作が行われていないと判定された場合，処理は，ステップＳ３４に戻り，以下，同様の処理を繰り返す。
【００９０】
　
一方，ステップＳ３６において，ユーザの指定操作が行われたと判定された場合，処理は，ステップＳ３７に進み，お気に入りマーク付加部７３は，ディスプレイ４３に表示されている環状表示１０１を形成する複数のチャンネル表示のうちの，ユーザの指定操作により指定されたチャンネル表示をマーキングし，そのマーキングにより得られた環状表示１０１（図５）を，OSD付加回路４１に供給して，処理は，ステップＳ３８に進む。
【００９１】
　
ステップＳ３８において，チャンネル表示リスト生成部７４は，メモリ３２に記憶されたEPGデータが含むチャンネル番号，放送局のロゴ，及び番組の詳細情報に基づいて，ユーザの指定操作により指定されたチャンネル表示（環状表示１０１において，マーキングされたチャンネル表示）と，そのチャンネル表示に対応するチャンネルの詳細情報との一覧であるチャンネル表示リスト１６１（図５）を生成し，OSD付加回路４１に供給して，処理は，ステップＳ３９に進む。
【００９２】
　
ステップＳ３９において，表示制御部７５は，OSD付加回路４１や画像処理回路４２等を制御し，OSD付加回路４１に供給された環状表示１０１及びチャンネル表示リスト１６１，即ち，ステップＳ３７の処理でマーキングにより得られた環状表示１０１，及びステップＳ３８の処理で生成されたチャンネル表示リスト１６１を，ディスプレイ４３に表示させる。このとき，例えば，ディスプレイ４２には，図５に示す表示画面が表示される。
【００９３】
　
その後，処理は，ステップＳ３４に戻り，以下，同様の処理を繰り返す。そして，例えば，ユーザが，環状表示１０１の表示を消そうとして，リモートコントローラ３の環状表示ボタン３Cを操作したときに，この表示処理は終了される。
　
ウ　【図３】〜【図５】の記載によれば，「お気に入りマーク１４１」は，「閉曲線１３１に沿った距離が，フォーカスされているチャンネル表示「069」から離れている位置に配列される」ほど，「小さく表示される」ものと認められる。
　
　上記記載によれば，引用文献１には以下の発明（以下，「引用発明」という。）が記載されているものと認める。
　
「　環状表示１０１を表示させるときの動作（以下，表示処理という）であって，
　この表示処理は，例えば，ユーザが，環状表示１０１を表示させようとして，リモートコントローラ３の環状表示ボタン３Cを操作したことに対して，開始され，
　ステップＳ３１において，環状表示生成部７１は，メモリ３２に記憶されたEPGデータが含むチャンネル番号及び放送局のロゴに基づいて，チャンネル番号及び放送局のロゴが表示された複数のチャンネル表示を，例えば，ARIB推奨順等の所定の並び順で，環状に配列することにより形成される環状表示１０１を生成し，目印付加部７２に供給して，処理は，ステップＳ３２に進み，
　なお，予め，環状表示１０１を生成し，記憶部３１又はメモリ３２に記憶しておくようにしておき，適宜，目印付加部７２に供給するようにしてもよく，
　ステップＳ３２において，目印付加部７２は，環状表示における所定の位置を示す目印１３２を，環状表示生成部７１からの環状表示に付加し，目印が付加された環状表示を，お気に入りマーク付加部７３に供給し，
　なお，前回の表示処理において，ユーザの指定操作により，お気に入りマークがチャンネル表示に付加されていた場合，今回の表示処理では，前回の表示処理で行われたユーザの指定操作によるお気に入りマークの付加を行うことが可能であるが，今回の表示処理では，説明を簡単にするために，前回の表示処理で行われたユーザの指定操作によるお気に入りマークの付加は行わないこととし，
　従って，お気に入りマーク付加部７３は，目印付加部７２からの環状表示１０１を，そのまま，OSD付加回路４１に供給し，
　ステップＳ３３において，表示制御部７５は，OSD付加回路４１や画像処理回路４２等を制御し，お気に入りマーク付加部７３からOSD付加回路４１に供給された環状表示１０１を，ディスプレイ４３に表示させ，
　ステップＳ３３の終了後，処理は，ステップＳ３４に進み，表示制御部７５は，十字キー３A（図１）を用いたユーザの回転操作が行われたか否かを判定し，
　ステップＳ３４において，ユーザの回転操作が行われたと判定された場合，処理は，ステップＳ３５に進み，表示制御部７５は，OSD付加回路４１や画像処理回路４２等を制御し，ユーザの回転操作により回転された環状表示１０１を，ディスプレイ４３に表示させ，
　一方，ステップＳ３４において，ユーザの回転操作が行われていないと判定された場合，処理は，ステップＳ３５をスキップして，ステップＳ３６に進み，表示制御部７５は，お気に入りボタン３Bを用いたユーザの指定操作が行われたか否かを判定し，
　ステップＳ３６において，ユーザの指定操作が行われていないと判定された場合，処理は，ステップＳ３４に戻り，以下，同様の処理を繰り返し，
　一方，ステップＳ３６において，ユーザの指定操作が行われたと判定された場合，処理は，ステップＳ３７に進み，お気に入りマーク付加部７３は，ディスプレイ４３に表示されている環状表示１０１を形成する複数のチャンネル表示のうちの，ユーザの指定操作により指定されたチャンネル表示をマーキングし，そのマーキングにより得られた環状表示１０１を，OSD付加回路４１に供給して，処理は，ステップＳ３８に進み，
　ステップＳ３８において，チャンネル表示リスト生成部７４は，メモリ３２に記憶されたEPGデータが含むチャンネル番号，放送局のロゴ，及び番組の詳細情報に基づいて，ユーザの指定操作により指定されたチャンネル表示（環状表示１０１において，マーキングされたチャンネル表示）と，そのチャンネル表示に対応するチャンネルの詳細情報との一覧であるチャンネル表示リスト１６１を生成し，OSD付加回路４１に供給して，処理は，ステップＳ３９に進み，
　ステップＳ３９において，表示制御部７５は，OSD付加回路４１や画像処理回路４２等を制御し，OSD付加回路４１に供給された環状表示１０１及びチャンネル表示リスト１６１，即ち，ステップＳ３７の処理でマーキングにより得られた環状表示１０１，及びステップＳ３８の処理で生成されたチャンネル表示リスト１６１を，ディスプレイ４３に表示させ，
　上記環状表示１０１は，目印１３２が付加された閉曲線１３１と，その閉曲線１３１の一部分を描くように，図中左右方向に帯状に並んで配列されたいくつかの矩形それぞれが表すチャンネル表示とが，環状表示１０１として表示されており，
　閉曲線１３１に沿った距離が，フォーカスされているチャンネル表示「069」から離れている位置に配列されるチャンネル表示ほど，小さく表示され，
　お気に入りマーク１４１は，閉曲線１３１に沿った距離が，フォーカスされているチャンネル表示「069」から離れている位置に配列されるほど，小さく表示され，
　さらに，十字キー３Aを用いたユーザの回転操作により，複数のチャンネル表示が，閉曲線１３１に沿った方向に移動するように，環状表示１０１が回転する，動作。」
　
２．引用文献２
　原査定の拒絶の理由に引用された引用文献２には，図面とともに次の事項が記載されている。
　
ア　「【００２７】次に，ファイル表示システムは，使用者により選択されたディレクトリ中のファイルをその時間属性値（例えば作成時刻）に従ってソートする。このとき，指定されたディレクトリが複数であっても，各ファイルがどのディレクトリに属しているかは問わない。」
　
イ　「【００３１】また，矢印付きタグ２４０は，使用者が画面上で移動させることができる。そして，順次矢印が指し示すプレート２１０に対応した作成時刻を表示する。指し示されたプレート２１０は，色を変えて表示する。
【００３２】また，図６に，プレート２１０の色をファイル作成時刻により区分して表示させた例を示す。色分け単位期間選択メニュー４１０より選択した単位ごとに色分けして表示する。ここでは，１日単位で色分けした例を示している。」
　
　したがって，上記引用文献２には，「ファイルをソートする属性（作成時刻や該時刻に応じた色）を視覚的に表示すること。」という技術的事項が記載されていると認められる。
　
３．引用文献３，４
　また，前置報告書に引用された引用文献３（特開２００４−１６２３９号公報），引用文献４（中村享介，ＷｅｂクリエイティブのためのＤＯＭ  Ｓｃｒｉｐｔｉｎｇ，日本，株式会社毎日コミュニケーションズ，２００７年４月２０日，初版，p.123）に記載されているように，
　「マウスオーバーされた箇所に関連する表示箇所を強調表示すること。」（以下，「周知技術」という。）
　は周知である。
　
第５　対比・判断
１．本願発明１について
（１）対比
　本願発明１と引用発明とを対比すると，次のことがいえる。
　
ａ　引用発明の「環状表示１０１を表示させるときの動作」は，「ユーザ」が「リモートコントローラ」を「操作」する動作であるから，「ユーザインターフェースに関する方法」といえ，後述する相違点を除き，本願発明１の「ユーザインターフェースに関する方法」に相当するといえる。
　
ｂ　引用発明の「チャンネル表示」は本願発明１の「第１のオブジェクト」に相当し，
　また，引用発明の「ステップＳ３１において，環状表示生成部７１は，メモリ３２に記憶されたEPGデータが含むチャンネル番号及び放送局のロゴに基づいて，チャンネル番号及び放送局のロゴが表示された複数のチャンネル表示を，例えば，ARIB推奨順等の所定の並び順で，環状に配列することにより形成される環状表示１０１を生成し」，「ステップＳ３３において，表示制御部７５は，OSD付加回路４１や画像処理回路４２等を制御し，お気に入りマーク付加部７３からOSD付加回路４１に供給された環状表示１０１を，ディスプレイ４３に表示させ」ることは，
　本願発明１の「複数の第１のオブジェクトを表示させる段階」に相当する。
　
ｃ　引用発明の「お気に入りマーク」は本願発明の「第２のオブジェクト」に相当し，
　また，引用発明の「ステップＳ３７に進み，お気に入りマーク付加部７３は，ディスプレイ４３に表示されている環状表示１０１を形成する複数のチャンネル表示のうちの，ユーザの指定操作により指定されたチャンネル表示をマーキングし，そのマーキングにより得られた環状表示１０１を，OSD付加回路４１に供給し」「ステップＳ３９において，表示制御部７５は，OSD付加回路４１や画像処理回路４２等を制御し，OSD付加回路４１に供給された環状表示１０１及びチャンネル表示リスト１６１，即ち，ステップＳ３７の処理でマーキングにより得られた環状表示１０１，及びステップＳ３８の処理で生成されたチャンネル表示リスト１６１を，ディスプレイ４３に表示させる」ことと，
　本願発明１の「各第２のオブジェクトが，前記複数の第１のオブジェクトのうちの１より多くの第１のオブジェクトの前記表示に視覚的に関連している，１以上の第２のオブジェクトを表示させる段階」とは，
　「各第２のオブジェクトが，前記複数の第１のオブジェクトの前記表示に視覚的に関連している，１以上の第２のオブジェクトを表示させる段階」である点で共通する。
　
ｄ　引用発明の「上記環状表示１０１は，閉曲線１３１に沿った距離が，フォーカスされているチャンネル表示「069」から離れている位置に配列されるチャンネル表示ほど，小さく表示され，さらに，十字キー３Aを用いたユーザの回転操作により，複数のチャンネル表示が，閉曲線１３１に沿った方向に移動するように，環状表示１０１が回転する」によれば，「十字キー３Aを用いたユーザの回転操作」により「フォーカスされているチャンネル表示」から離れていくチャンネル表示は「小さく表示」即ち「低減した突出度」で表示されることは明らかであるから，
　引用発明は本願発明１の「入力に応じて，前記複数の第１のオブジェクトのうち少なくとも１つを低減した突出度で表示させ」の構成を備えている。
　
ｅ　引用発明の「上記環状表示１０１は，目印１３２が付加された閉曲線１３１と，その閉曲線１３１の一部分を描くように，図中左右方向に帯状に並んで配列されたいくつかの矩形それぞれが表すチャンネル表示とが，環状表示１０１として表示されており」に関し，図３〜図５の記載も参酌すれば，「チャンネル表示」のうち一部は単なる「閉曲線１３１」，つまり大きさを持たないものとして表示されると認められる。
　一方，「お気に入りマーク１４１は，閉曲線１３１に沿った距離が，フォーカスされているチャンネル表示「069」から離れている位置に配列されるほど，小さく表示され」るものである。
　そうすると，「環状表示１０１」が回転したとき，「お気に入りマーク」の「大きさ」の「相対的低下」は，「チャンネル表示」の「大きさ」の「相対的低下」よりも，「低い」といえる。
　したがって，引用発明は本願発明１の「前記第１のオブジェクトに関連している少なくとも１つの第２のオブジェクトを，もし前記第２のオブジェクトの突出の相対的低下があれば，前記第２のオブジェクトの突出の相対的低下が，前記第１のオブジェクトの突出の相対的低下より低くなるように，表示させ」に相当する構成を備えている。
　
ｆ　引用発明の「上記環状表示１０１は，目印１３２が付加された閉曲線１３１と，その閉曲線１３１の一部分を描くように，図中左右方向に帯状に並んで配列されたいくつかの矩形それぞれが表すチャンネル表示とが，環状表示１０１として表示されており」は，本願発明１の「前記複数の第１のオブジェクトはループ状に連続して配置され，前記ループは完全に，または部分的に表示され」に相当する。
　
　したがって，本願発明１と引用発明との間には，次の一致点，相違点があるといえる。
　
（一致点）
「　複数の第１のオブジェクトを表示させる段階と，
　各第２のオブジェクトが，前記複数の第１のオブジェクトの前記表示に視覚的に関連している，１以上の第２のオブジェクトを表示させる段階と，
　入力に応じて，前記複数の第１のオブジェクトのうち少なくとも１つを低減した突出度で表示させ，前記第１のオブジェクトに関連している少なくとも１つの第２のオブジェクトを，もし前記第２のオブジェクトの突出の相対的低下があれば，前記第２のオブジェクトの突出の相対的低下が，前記第１のオブジェクトの突出の相対的低下より低くなるように，表示させる段階と
　を備え，
　前記複数の第１のオブジェクトはループ状に連続して配置され，前記ループは完全に，または部分的に表示される
　ユーザインターフェースに関する方法。」
　
（相違点１）
　一致点の「各第２のオブジェクトが，前記複数の第１のオブジェクトの前記表示に視覚的に関連している，１以上の第２のオブジェクトを表示させる段階」において，「各第２のオブジェクト」が「表示に視覚的に関連している」「第１のオブジェクト」が，
　本願発明１では「１より多くの第１のオブジェクト」と特定されているのに対し，
　引用発明ではそのような特定がされていない点。
（相違点２）
　本願発明では「各第２のオブジェクトは，前記複数の第１のオブジェクトをソートする複数の特性または値を視覚的に示」しているのに対し，
　引用発明では「お気に入りマーク１４１」は，複数の表示チャンネルを「ソートする複数の特性または値を視覚的に示」すものではない点。
（相違点３）
　本願発明は「マウスオーバされる第２のオブジェクトに関連するすべての第１のオブジェクトが，強調表示または状態変更を示す」のに対し，
　引用発明はそのような構成を有しない点。
　
（２）相違点についての判断
　事案に鑑みて，上記相違点３について先に検討する。
　引用文献２には，上述したとおり，「ファイルをソートする属性（作成時刻や該時刻に応じた色）を視覚的に表示すること。」という技術的事項が記載されているが，この「ファイルをソートする属性」が「マウスオーバされること」については記載も示唆も無く，本願発明の相違点３に係る構成（マウスオーバされる第２のオブジェクトに関連するすべての第１のオブジェクトが，強調表示または状態変更を示すこと）は，引用文献２の記載に基づいて当業者が容易に想到し得たものではない。
　また，上述したとおり，「マウスオーバーされた箇所に関連する表示箇所を強調表示すること」は引用文献３，４にも記載されている周知技術であるが，引用発明の「お気に入りマーク１４１」が「マウスオーバ」されることは引用文献１には記載も示唆もないうえ，引用発明の各「表示チャンネル」はそれぞれの「お気に入りマーク１４１」によって「ソート」されているものでもないから，特定の「表示チャンネル」のみを「強調表示または状態変更」するために「お気に入りマーク１４１」を利用する動機付けもない。
　よって，上記周知技術を引用発明１に適用することは当業者が容易に想到し得たものではない。
　
　したがって，本願発明１は，相違点１，２を検討するまでもなく，当業者であっても引用発明，引用文献２に記載された技術的事項，引用文献３，４に記載された周知技術に基づいて容易に発明できたものであるとはいえない。
　
２．本願発明２−５４について
　本願発明２−５４も，本願発明１の「マウスオーバされる第２のオブジェクトに関連するすべての第１のオブジェクトが，強調表示または状態変更を示す」と同一の構成を備えるものである。
　したがって，本願発明１と同じ理由により，当業者であっても引用発明，引用文献２に記載された技術的事項，引用文献３，４に記載された周知技術に基づいて容易に発明できたものであるとはいえない。
　
第６　むすび
　以上のとおり，原査定の理由によっては，本願を拒絶することはできない。
　また，他に本願を拒絶すべき理由を発見しない。
　よって，結論のとおり審決する。